(57)【特許請求の範囲】
【請求項１】
導電性材料を含む封止対象物を封止する封止体であって、固定部及びこの固定部に対して可動する可動部を有し、かつ、前記封止対象物を前記固定部と前記可動部とで挟み込むように封止するクランプ状の封止体と、
前記封止体に設けられたＩＣタグとを備え、
前記封止対象物が前記封止体により封止されている状態において、予め想定した所定の通信状態が発揮されるように構成され、
さらに、前記ＩＣタグは、前記可動部に設けられていることを特徴とするＩＣタグを用いた封印装置。
【発明の詳細な説明】
【技術分野】
【０００１】
本発明は、ＩＣタグを利用した封印方法、及びこの封印方法を利用した封印装置に関するものである。
【背景技術】
【０００２】
ＩＣタグ等のＲＦＩＤは、通常、物品を識別するための電子的なタグ（荷札）として利用されている（例えば、特許文献１参照）。
【先行技術文献】
【特許文献】
【０００３】
【特許文献１】特開２００１−１１４４０５号公報
【発明の概要】
【発明が解決しようとする課題】
【０００４】
本発明は、従来とは異なる新規なＩＣタグの利用方法等を提案することを目的とする。
【課題を解決するための手段】
【０００７】
本発明は、上記目的を達成するために、請求項１に記載の発明では、導電性材料を含む封止対象物（３）を封止する封止体（１１）と、封止体（１）に設けられたＩＣタグ（５）とを備え、封止対象物（３）が封止体（１）により封止されている状態において、予め想定した所定の通信状態が発揮されるように構成されていることを特徴とする。
【０００８】
これにより、請求項１に記載の発明では、封止対象物（３）の封止状態に変化が無い場合には、封止後においても予め想定した所定の通信状態が発揮され、一方、封止対象物（３）の封止状態が変化すると、予め想定した所定の通信状態と異なる通信状態となるので、封止対象物（３）の封止状態の変化を判定することができる。
【０００９】
さらに、請求項１に記載の発明では、封止体（１）は、固定部（１Ａ）及びこの固定部（１Ａ）に対して可動する可動部（１Ｂ）を有し、かつ、封止対象物（３）を固定部（１Ａ）と可動部（１Ｂ）とで挟み込むように封止するクランプ状の手段であり、さらに、ＩＣタグ（５）は、可動部（１Ｂ）に設けられていることを特徴とする。
【００１０】
これにより、請求項１に記載の発明では、封止対象物（３）が固定部（１Ａ）と可動部（１Ｂ）とで挟み込まれて封止された状態とクランプ状態が解除された状態とで、ＩＣタグ（５）の読取状態に差異が発生するので、封止対象物（３）の封止状態が変化したか否かを判定することができる。
【００１５】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１６】
【図１】本発明の第１実施形態に係る封止装置の斜視図である。
【図２】（ａ）は本発明の第２実施形態に係る封止装置の斜視図であり（ｂ）は本発明の第２実施形態に係る封止装置の側面図であり、（ｃ）は本発明の第２実施形態に係る封止装置のバンド部７Ａの正面図である。
【図３】本発明の第３実施形態に係る封止装置の概要を示す斜視図である。
【図４】（ａ）は本発明の第３実施形態に係る封止ピン１１の上面図であり、（ｂ）は本発明の第３実施形態に係る封止ピン１１の側面図である。
【発明を実施するための形態】
【００１７】
本実施形態は、本願発明に係る封印方法をＩＣタグを用いた封印装置に適用したものであり、以下に本発明の実施形態を図面と共に説明する。
（第１実施形態）
１．封印方法について
本願発明に係る封印方法とは、ＩＣタグを利用した封印方法であって、ＩＣタグにて封止対象物を封印し、その封印時の読取状態と現在の読取状態との差異に基づいて封止対象物の封止状態を判定する方法である。
【００１８】
つまり、ＩＣタグは、電波を受けて働く小型の電子装置の１つであって、ＲＦＩＤ（Radio frequency identification）の一種であり、ＩＣタグに記憶されている情報を読み取る際の通信状態（読取状態）は、情報読取時におけるＩＣタグ周囲の電界及び磁界等の状態によって変化する。
【００１９】
このため、例えば封止対象物として、銅等の導電性材料を含む電気ケーブルを、ＩＣタグが埋設されたバンド等の封止体にて固定・封止すると、電気ケーブルがバンドにて封止されている状態とバンドが解放されて封止状態が開放された状態とでは、ＩＣタグに対する電気ケーブルの位置が異なるため、読取状態（ＩＣタグ周囲の電界及び磁界等の状態）が変化する。
【００２０】
そこで、封止されている状態において、予め想定した所定の通信状態が発揮されるようにＩＣタグ及びバンドを構成しておけば、タグリーダにてそのＩＣタグを読み取れば、読取状態の変化から封止状態が開放されたか否かを判定することができる。
【００２１】
２．封止装置について
本実施形態に係る封止装置は、遊技機内に配設された電気信号を伝達する電気ケーブルを封止するためのものである。
【００２２】
図１に示すように、クランプ１は、電気ケーブル３を挟むようにして電気ケーブル３を封止・固定する封止体であり、このクランプ１は、基盤（図示せず。）等に固定される固定部１Ａ、及びこの固定部１Ａに対して揺動可能な可動部１Ｂを有して構成されている。
【００２３】
そして、アンテナ部５Ａ及びＩＣチップ５Ｂ等からなるＩＣタグ５は、可動部１Ｂに配設されている。なお、本実施形態では、クランプ１の成形時にＩＣタグ５を金型に配置した状態でインサート成形することによりＩＣタグ５を可動部１Ｂに埋設している。
【００２４】
因みに、本実施形態に係るクランプ１は、固定部１Ａ及び可動部１Ｂが樹脂にて一体成形されているとともに、固定部１Ａと可動部１Ｂとを繋ぐ部位１Ｃを他の部位に比べて厚みを薄くすることにより、可動部１Ｂが固定部１Ａに対して相対的に揺動可能としている。
【００２５】
また、電気ケーブル３がクランプ１により封止・固定された状態では、固定部１Ａに設けられた係止部１Ｄと可動部１Ｂに設けられた係止部１Ｅとが係合することにより、固定部１Ａと可動部１Ｂとが係止された状態となる。
【００２６】
そして、電気ケーブル３がクランプ１により封止・固定された状態では、ＩＣタグ５が電気ケーブル３に近接した状態となるのに対して、封止状態が開放された状態では、ＩＣタグ５が電気ケーブル３から離間した状態となるので、読取状態（ＩＣタグ周囲の電界及び磁界等の状態）が変化する。
【００２７】
したがって、封止されている状態において、予め想定した所定の通信状態が発揮されるようにＩＣタグ５及びクランプ１を構成しておけば、タグリーダにてそのＩＣタグ５を読み取れば、遊技機内を目視にて確認することなく、読取状態の変化から封止状態が開放されたか否かを判定することができる。
【００２８】
また、本実施形態では、可動部１ＢにＩＣタグ５が設けられているので、ＩＣタグ５を固定部１Ａに設けた場合に比べて、読取状態（ＩＣタグ周囲の電界及び磁界等の状態）の変化を大きくすることができるので、確実に封止状態が開放されたか否かを判定することができる。
【００２９】
なお、本実施形態は、ＩＣタグ５を可動部１Ｂ以外（例えば、固定部１Ａ）に設けてもよいことは当然である。
（第２実施形態）
本実施形態は、図２（ａ）及び図２（ｂ）に示すように、複数の封止対象物３Ａ、３Ｂ間を渡すように複数の封止対象物３Ａ、３Ｂに接続されたバンド部７Ａを有して封止体を構成するとともに、ＩＣタグ５のアンテナ部５Ａを図２（ｃ）に示すように、バンド部７Ａに設けたものである。
【００３０】
すなわち、本実施形態に係る封止対象物は、電気ケーブル３用の雄型のコネクタ３Ａ及び雌型のコネクタ３Ｂであり、コネクタ３Ｂは基盤３Ｃに固定されて基盤３Ｃ一体化され、バンド部７Ａの長手方向一端側は基盤３Ｃに取り外し不可能な状態で固定されている。
【００３１】
そして、コネクタ３Ａには、バンド部７Ａの長手方向他端側が挿入係合される係合部３Ｄが設けられており、バンド部７Ａと係合部３Ｄに挿入されて係合した状態では、結束バンド等と同様に、バンド部７Ａを切断しない限り、コネクタ３Ａをコネクタ３Ｂから取り外すことはできない。
【００３２】
つまり、本実施形態では、バンド部７Ａにより封止体が構成されており、コネクタ３Ａをコネクタ３Ｂから取り外すには、ＩＣタグ５のアンテナ部５Ａを破壊（切断）する必要があるので、コネクタ３Ａがコネクタ３Ｂから取り外され封止状態が開放されると、封止されている状態と比べて読取状態（ＩＣタグ周囲の電界及び磁界等の状態）が変化する。
【００３３】
したがって、タグリーダにてそのＩＣタグ５を読み取れば、遊技機内を目視にて確認することなく、読取状態の変化から封止状態が開放されたか否かを判定することができる。
なお、本実施形態では、コネクタ３Ａと係合部３Ｄとは一体成形されているが、両者３Ａ、３Ｄ別部品として製造後、両者３Ａ、３Ｄを一体化したもの、又はバンド部７Ａも含めて両者３Ａ、３Ｄを一体化し、バンド部７Ａを基盤３Ｃ又はコネクタ３Ｂに取り外し不可として組み付ける形態としてもよい。
【００３４】
また、バンド部７ＡにＩＣタグ５の一部（アンテナ部５Ａ）を設けたが、本実施形態はこれに限定されるものではなく、例えばコネクタ３Ａをコネクタ３Ｂに組み付けると、コネクタ３Ａの少なくとも一部を破壊しない限り、コネクタ３Ａをコネクタ３Ｂから取り外すことができない構成とするとともに、コネクタ３Ａに破壊し易い脆弱部を設け、この脆弱部にＩＣタグ５の一部を配置してもよい。
【００３５】
因みに、脆弱部とは、例えばコネクタ３Ａをコネクタ３Ｂから取り外す際に応力が集中し易い部位であって、その部位の強度（肉厚等）を他の部位に比べて低下させた部位をいう。
【００３６】
（第３実施形態）
本実施形態は、図３に示すように、封止対象物である電気基板９に、ＩＣタグ５に電気的に接続される電気回路５Ｃ（本実施形態ではアンテナ部５Ａの一部）を構成するとともに、封止体を成す封止ピン１１にＩＣタグ５を設け（図４（ａ）及び図４（ｂ）参照）、電気基板９に封止ピン１１が装着されて電気基板９が封止ピン１１により封止されている状態において、電気回路５Ｃが成立してＩＣタグ５が通信可能な状態となるように構成したものである。
【００３７】
これにより、本実施形態では、封止ピン１１が電気基板９から取り外されて封止状態が解除されると、ＩＣタグ５が通信不可能な状態となるので、遊技機内を目視にて確認することなく、電気基板９の封止状態が変化したか否かを判定することができる。
【００３８】
（その他の実施形態）
また、本発明は、特許請求の範囲に記載された発明の趣旨に合致するものであればよく、上述の実施形態に限定されるものではない。
【符号の説明】
【００３９】
１…クランプ、１Ａ…固定部、１Ｂ…可動部、１Ｄ、１Ｅ…係止部、
３…電気ケーブル、５…ＩＣタグ、５Ａ…アンテナ部。
【図１】
0005605699.tif 000002
【図２】
0005605699.tif 000003
【図３】
0005605699.tif 000004
【図４】
0005605699.tif 000005